【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
本体装置と、当該本体装置に対して装着可能な操作装置とを備えた情報処理システムであって、
前記操作装置は、
前記操作装置の少なくとも一部を制御する第１制御回路と、
前記第１制御回路に電力を供給するための第１バッテリと、
前記第１バッテリから前記第１制御回路に電力を供給可能な第１電力供給手段と、
前記第１バッテリの残量を示す残量情報を前記本体装置へ送信する残量情報送信手段とを有し、
前記本体装置は、
前記本体装置の少なくとも一部を制御する第２制御回路と、
前記第２制御回路に電力を供給するための第２バッテリと、
前記第２バッテリから前記第２制御回路に電力を供給可能な第２電力供給手段とを有し、
前記第２電力供給手段は、前記残量情報送信手段から送信された前記残量情報が示す残量に関する条件に応じて、前記第２バッテリから前記操作装置に電力を供給し、
前記第１電力供給手段は、前記本体装置から前記操作装置に電力が供給される場合、前記第１バッテリからの電力に代えて前記本体装置から供給された電力を前記第１制御回路に供給する、情報処理システム。
【請求項２】
前記操作装置は、
操作部と、
前記本体装置と有線通信可能な第１通信部とをさらに有し、
前記本体装置は、前記操作装置と有線通信可能な第２通信部をさらに有し、
前記残量情報送信手段は、前記操作部に対する操作を示す操作情報と前記残量情報とを前記第１通信部を介して前記有線通信によって前記本体装置へ送信し、
前記第２電力供給手段は、前記操作装置に電力を供給すると判定した場合、前記第２バッテリからの電力を前記第２通信部を介して前記操作装置に供給する、請求項１に記載の情報処理システム。
【請求項３】
前記操作装置は、
操作部と、
前記本体装置と無線通信可能な第３通信部とをさらに有し、
前記本体装置は、前記操作装置と無線通信可能な第４通信部をさらに有し、
前記残量情報送信手段は、前記操作部に対する操作を示す操作情報と前記残量情報とを前記第３通信部を介して前記無線通信によって前記本体装置へ送信する、請求項１または請求項２に記載の情報処理システム。
【請求項４】
前記第１電力供給手段は、前記操作装置が前記本体装置と前記無線通信を行っている場合に、前記第１バッテリから前記第１制御回路に電力を供給する、請求項３に記載の情報処理システム。
【請求項５】
前記本体装置は、当該本体装置の外部から供給される電力を取得可能な電力端子をさらに有し、
前記第２電力供給手段は、前記電力端子を介して前記本体装置の外部から電力が供給される場合、前記本体装置の外部から供給される電力を前記第２制御回路に供給するとともに、前記本体装置の外部から供給される電力を前記操作装置に供給する、請求項１から請求項４のいずれか１項に記載の情報処理システム。
【請求項６】
前記第１電力供給手段は、前記第１バッテリから前記第１制御回路に電力を供給している場合に、前記本体装置から前記操作装置に電力が供給されたときには、当該第１バッテリからの当該第１制御回路への電力の供給を停止して、前記本体装置から供給された電力の当該第１制御回路への供給を開始する、請求項１から請求項５のいずれか１項に記載の情報処理システム。
【請求項７】
前記第１電力供給手段は、前記本体装置から前記操作装置に電力が供給される場合、前記本体装置から供給された電力を前記第１制御回路に供給するとともに、前記本体装置から供給された電力を用いて前記第１バッテリに対する充電を行う、請求項１から請求項６のいずれか１項に記載の情報処理システム。
【請求項８】
前記第２電力供給手段は、前記操作装置に電力を供給中である場合、前記残量情報送信手段から送信された前記残量情報が示す残量が第１の値以上となったことを条件として、電力の供給を停止し、前記操作装置に電力を供給中でない場合、前記残量情報送信手段から送信された前記残量情報が示す残量が、前記第１の値よりも小さい第２の値未満となったことを条件として、電力の供給を開始する、請求項７に記載の情報処理システム。
【請求項９】
前記情報処理システムは、前記本体装置に対してそれぞれ同時に装着可能な複数の前記操作装置を備え、
前記第２電力供給手段は、前記本体装置に装着されている複数の前記操作装置のうちで、前記条件を満たす残量情報を送信した操作装置に、前記第２バッテリからの電力を供給する、請求項１から請求項８のいずれか１項に記載の情報処理システム。
【請求項１０】
前記操作装置は、操作部をさらに有し、
前記第２制御回路は、前記操作部に対する操作に基づくゲーム処理を実行する、請求項１から請求項９のいずれか１項に記載の情報処理システム。
【請求項１１】
前記第２電力供給手段は、前記第２バッテリの残量が所定量以下である場合には、前記残量情報送信手段から送信された前記残量情報が示す残量にかかわらず、前記第２バッテリから前記操作装置に対する電力供給を停止する、請求項１から請求項１０のいずれか１項に記載の情報処理システム。
【請求項１２】
可搬型の本体装置と、当該本体装置に対して同時に装着可能な２つの操作装置とを備えた情報処理システムであって、
各前記操作装置は、それぞれ、
当該操作装置の少なくとも一部を制御する第１制御回路と、
前記第１制御回路に電力を供給するための第１バッテリと、
前記第１バッテリから前記第１制御回路に電力を供給可能な第１電力供給手段と、
前記本体装置と有線通信可能な第１通信部と、
前記本体装置と無線通信可能な第２通信部とを有し、
前記本体装置は、
前記本体装置の少なくとも一部を制御する第２制御回路と、
前記第２制御回路に電力を供給するための第２バッテリと、
前記第２バッテリから前記第２制御回路に電力を供給する第２電力供給手段と、
前記操作装置と有線通信可能な第３通信部および第４通信部と、
前記操作装置と無線通信可能な第５通信部とを有し、
前記第２電力供給手段は、前記本体装置が操作装置と前記有線通信が可能な状態であることを少なくとも条件として、前記第２バッテリから、当該有線通信が可能な状態にある操作装置に電力を供給し、
前記第１電力供給手段は、前記本体装置が前記操作装置と前記有線通信が可能でない状態において、前記第１バッテリから前記第１制御回路に電力を供給する、情報処理システム。
【請求項１３】
操作装置を装着可能な情報処理装置であって、
前記情報処理装置の少なくとも一部を制御する制御回路と、
前記制御回路に電力を供給するためのバッテリと、
前記バッテリから前記制御回路に電力を供給可能な電力供給手段と、
前記操作装置のバッテリの残量を示す残量情報を前記操作装置から取得する取得手段とを備え、
前記電力供給手段は、前記残量情報が示す残量に関する条件に応じて、前記バッテリから前記操作装置に電力を供給する、情報処理装置。
【請求項１４】
本体装置に対して装着可能な操作装置であって、
前記操作装置の少なくとも一部を制御する制御回路と、
前記制御回路に電力を供給するためのバッテリと、
前記バッテリから前記制御回路に電力を供給可能な電力供給手段と、
前記本体装置と有線通信可能な通信部と、
前記バッテリの残量を示す残量情報を前記通信部を介して前記有線通信によって前記本体装置へ送信する残量情報送信手段とを備え、
前記電力供給手段は、前記本体装置から前記通信部を介して前記操作装置に電力が供給される場合、前記バッテリからの電力に代えて前記本体装置から供給された電力を前記制御回路に供給する、操作装置。
【請求項１５】
本体装置と、当該本体装置に対して装着可能な操作装置とを備えた情報処理システムにおいて実行される電力供給方法であって、
前記操作装置は、
前記操作装置の少なくとも一部を制御する第１制御回路と、
前記第１制御回路に電力を供給するための第１バッテリと、
前記第１バッテリから前記第１制御回路に電力を供給可能な第１電力供給手段と、
前記第１バッテリの残量を示す残量情報を前記本体装置へ送信する残量情報送信手段とを有し、
前記本体装置は、
前記本体装置の少なくとも一部を制御する第２制御回路と、
前記第２制御回路に電力を供給するための第２バッテリと、
前記第２バッテリから前記第２制御回路に電力を供給可能な第２電力供給手段とを有し、
前記第２電力供給手段は、前記残量情報送信手段から送信された前記残量情報が示す残量に関する条件に応じて、前記第２バッテリから前記操作装置に電力を供給し、
前記第１電力供給手段は、前記本体装置から前記操作装置に電力が供給される場合、前記第１バッテリからの電力に代えて前記本体装置から供給された電力を前記第１制御回路に供給する、電力供給方法。
【請求項１６】
本体装置と、操作装置とを備えた情報処理システムであって、
前記操作装置は、前記本体装置と有線で電気的に接続可能であるとともに、当該本体装置と無線で電気的に接続可能であり、
前記本体装置および前記操作装置はそれぞれバッテリを備え、
前記本体装置は、当該本体装置の外部から電力供給を受けることが可能であり、当該外部電力を受けている場合も受けていない場合も動作可能であり、
前記操作装置は、
当該操作装置が前記本体装置と有線で電気的に接続しているときであって、当該本体装置が外部からの電力供給を受けていないときには、当該操作装置のバッテリの充電量が第１状態であることを条件として、当該本体装置からの供給電力による当該バッテリの充電を開始し、
当該操作装置が前記本体装置と有線で電気的に接続しているときであって、当該本体装置が外部からの電力供給を受けているときには、当該操作装置のバッテリの充電量が前記第１状態よりも少ない状態であっても、当該本体装置からの供給電力による当該バッテリの充電を開始し、
前記本体装置からの供給電力によって当該操作装置のバッテリが充電されているときであっても、当該操作装置に対する操作を示す操作情報を送信する、情報処理システム。
【請求項１７】
前記操作装置は、
当該操作装置が前記本体装置と有線で電気的に接続しているときであって、当該本体装置が外部からの電力供給を受けていないときには、当該操作装置のバッテリの充電量が第２状態であることを条件として、当該本体装置からの供給電力による当該バッテリの充電を終了し、
当該操作装置が前記本体装置と有線で電気的に接続しているときであって、当該本体装置が外部からの電力供給を受けているときには、当該操作装置のバッテリの充電量が前記第２状態よりも多い状態であっても、当該本体装置からの供給電力による当該バッテリの充電を行う、請求項１６に記載の情報処理システム。
【請求項１８】
前記操作装置は、
当該操作装置が前記本体装置と有線で電気的に接続しているときであって、当該本体装置が外部からの電力供給を受けているときには、当該操作装置のバッテリが満充電となるまで充電を行い、
当該操作装置が前記本体装置と有線で電気的に接続しているときであって、当該本体装置が外部からの電力供給を受けていないときには、当該操作装置のバッテリが満充電よりも低い充電量となるまで充電を行う、請求項１７に記載の情報処理システム。
【請求項１９】
前記操作装置は前記本体装置に対して装着可能である、請求項１６から請求項１８のいずれか１項に記載の情報処理システム。
【請求項２０】
前記本体装置はゲーム装置であり、
前記操作措置はゲームコントローラである、請求項１６から請求項１９のいずれか１項に記載の情報処理システム。
【請求項２１】
前記本体装置は、当該本体装置のバッテリの残量が所定量以下である場合には、前記操作装置のバッテリの充電量にかかわらず、当該本体装置のバッテリから当該操作装置に対する電力供給を停止する、請求項１６から請求項２０のいずれか１項に記載の情報処理システム。
【請求項２２】
本体装置と有線で電気的に接続可能であるとともに、当該本体装置と無線で電気的に接続可能である操作装置であって、
バッテリを備え、
当該操作装置が前記本体装置と有線で電気的に接続しているときであって、当該本体装置が外部からの電力供給を受けていないときには、当該操作装置のバッテリの充電量が第１状態であることを条件として、当該本体装置からの供給電力による当該バッテリの充電を開始し、
当該操作装置が前記本体装置と有線で電気的に接続しているときであって、当該本体装置が外部からの電力供給を受けているときには、当該操作装置のバッテリの充電量が前記第１状態よりも少ない状態であっても、当該本体装置からの供給電力による当該バッテリの充電を開始し、
前記本体装置からの供給電力によって当該操作装置のバッテリが充電されているときであっても、当該操作装置に対する操作を示す操作情報を送信する、操作装置。
【請求項２３】
操作装置と有線で電気的に接続可能であるとともに、当該操作装置と無線で電気的に接続可能である情報処理装置であって、
バッテリを備え、
当該情報処理装置の外部から電力供給を受けることが可能であり、当該外部電力を受けている場合も受けていない場合も動作可能であり、
前記操作装置が前記情報処理装置と有線で電気的に接続しているときであって、当該情報処理装置が外部からの電力供給を受けていないときには、当該操作装置のバッテリの充電量が第１状態であることを条件として、当該操作装置のバッテリを充電するための電力供給を開始し、
当該操作装置が前記情報処理装置と有線で電気的に接続しているときであって、当該情報処理装置が外部からの電力供給を受けているときには、当該操作装置のバッテリの充電量が前記第１状態よりも少ない状態であっても、当該操作装置のバッテリを充電するための電力供給を開始し、
前記情報装置からの供給電力によって当該操作装置のバッテリが充電されているときであっても、当該操作装置に対する操作に基づく処理を実行する、情報処理装置。